(57)【要約】【課題】利便性を損なわずに消費電力を低減して表示を行うことができること。【解決手段】報知手段１７と、報知手段の動作を制御する制御手段１２とを備え、制御手段１２は、コンテンツデータの取得状況を検出する検出部２３と、コンテンツデータの取得中に、報知手段１７を省エネモードに制御するとともに、検出部２３による取得状況の検出結果を取得中に、報知手段１７に報知させる報知部２４とを有する。【選択図】図２
2014222803.tif 000002
【特許請求の範囲】
【請求項１】
報知手段と、
前記報知手段の動作を制御する制御手段と
を備え、
前記制御手段は、
コンテンツデータの取得状況を検出する検出部と、
前記コンテンツデータの取得中に、前記報知手段を省エネモードに制御するとともに、前記検出部による取得状況の検出結果を取得中に、前記報知手段に報知させる報知部と
を有するデータ取得制御装置。
【請求項２】
前記報知部は、表示部に設けられたバックライトを前記報知手段として動作させ、取得開始時に減灯させた後に取得状況に応じて点灯を制御する
請求項１に記載のデータ取得制御装置。
【請求項３】
前記報知手段は、音声により検出結果を報知する
請求項１又は２に記載のデータ取得制御装置。
【請求項４】
前記報知手段は、振動により検出結果を報知する
請求項１又は２に記載のデータ取得制御装置。
【請求項５】
前記報知手段は、発光により検出結果を報知する
請求項１又は２に記載のデータ取得制御装置。
【請求項６】
前記報知部は、取得されたコンテンツに含まれるデータの一部を再生させる
請求項１から５のいずれか一項に記載のデータ取得制御装置。
【請求項７】
前記一部とは、一部の画像、一部の音声、一部の色、一部の振動をいう
請求項６に記載のデータ取得制御装置。
【請求項８】
コンテンツデータの取得状況を検出する検出段階と、
前記コンテンツデータの取得中に、報知手段を省エネモードに制御するとともに、前記制御段階による取得状況の検出結果を取得中に、報知手段に報知させる報知段階と
を備えるデータ取得制御方法。
【請求項９】
コンピュータを、
コンテンツデータの取得状況を検出する検出部、
前記コンテンツデータの取得中に、報知手段を省エネモードに制御するとともに、前記検出部による取得状況の検出結果を取得中に、報知手段に報知させる報知部
として機能させるプログラム。
【発明の詳細な説明】
【技術分野】
【０００１】
本発明は、データ取得制御装置、データ取得制御方法及びプログラムに関する。
【背景技術】
【０００２】
携帯端末の表示部及び操作部に対する照明の点灯制御方式であって、視認性及び操作性を高めつつ、消費電力を抑える方式には、様々な方式がある。
【０００３】
このような背景に関連する技術としては、様々なものが知られている（例えば、特許文献１参照。）。
【０００４】
例えば、特許文献１には、ブラウザ通信機能を搭載している携帯端末が記載されている。より具体的に説明すると、この携帯端末は、表示画面を有する表示部、及び表示部の照明である表示部照明を有する表示手段を有する。また、この携帯端末は、複数のキーを有し、ユーザが操作を行う操作部、及び操作部の照明である操作部照明を有する操作手段を有する。また、この携帯端末は、ブラウザ通信中に、操作部のキーの中でブラウザ通信において多用されるキーが操作されたときは、表示部照明のみを一定時間、点灯させ、操作部のキーの中でブラウザ通信中において多用されるキー以外のキーが操作されたときは、表示部照明及び操作部照明を一定時間、点灯させる制御手段を有する。このようにして、この携帯端末によっては、必要な個所に絞って照明の点灯を行い、無駄な照明の点灯をなくすことで、表示部の視認性、及び操作部の操作性を確保しつつ、ブラウザ通信時の消費電力を低減してバッテリーの消耗を防ぐことができる。
【０００５】
また、表示部の輝度を変更することにより消費電力を削減する技術がある。
【０００６】
このような背景に関連する技術としては、様々なものが知られている（例えば、特許文献２参照。）。
【０００７】
例えば、特許文献２には、表示部と、コンテンツ表示制御部とを備える携帯端末が記載されている。より具体的に説明すると、表示部は、第１の輝度で表示する。コンテンツ表示制御部は、通信部のコンテンツの受信に要する時間が所定時間より長い場合、表示部を第１の輝度より低い第２の輝度で表示させ、又は、表示をさせない。そして、コンテンツ表示制御部は、コンテンツの受信に要する時間が所定時間より短い場合、表示部を輝度の変更のないまま表示させる。このように、この携帯端末によっては、消費電力の削減と、表示を視認しているユーザへ違和感を与えない表示とを併せて行なうことができる。
【０００８】
また、ネットワークから取得したコンテンツの色に関する記述を書き換えることにより表示部の消費電力を削減する技術がある。
【０００９】
このような背景に関連する技術としては、様々なものが知られている（例えば、特許文献３参照。）。
【００１０】
例えば、特許文献３には、コンテンツ取得部と、色記述抽出部と、コンテンツ編集部とを備える節電システムが記載されている。より具体的に説明すると、この節電システムにおいて、コンテンツ取得部は、ネットワークからコンテンツを取得する。色記述抽出部は、コンテンツの色に関する記述を抽出する。コンテンツ編集部は、コンテンツを表示する表示手段の消費電力を削減するように、ネットワークから取得したコンテンツの色に関する記述を書き換える。このように、この節電システムによっては、ユーザがコンピュータ等の情報端末を使用している状態であっても、画面に表示する画像の認識性を保ちつつ、ディスプレイ装置の消費電力を削減することができる。
【先行技術文献】
【特許文献】
【００１１】
【特許文献１】特許第３８８９９４５号公報
【特許文献２】特開２００９−２４６８８１号公報
【特許文献３】特開２０１０−０３９６３８号公報
【発明の概要】
【発明が解決しようとする課題】
【００１２】
しかしながら、特許文献１に記載の技術によっては、キーの操作をトリガーとして制御を行っているために、キーを有さない個人用の携帯コンピュータの機能を併せ持ったスマートフォンに適用することができず、スマートフォンにおいて利便性を損なわずに消費電力を低減して表示を行うことができない。特許文献２、３に記載の技術によっては、利便性を損なわずに消費電力を低減して表示を行うことができない。
【００１３】
本発明の目的は、上述した課題を解決するデータ取得制御装置、データ取得制御方法及びプログラムを提供することにある。
【課題を解決するための手段】
【００１４】
上記課題を解決するために、本発明の第１の形態によると、データ取得制御装置であって、報知手段と、報知手段の動作を制御する制御手段とを備え、制御手段は、コンテンツデータの取得状況を検出する検出部と、コンテンツデータの取得中に、報知手段を省エネモードに制御するとともに、検出部による取得状況の検出結果を取得中に、報知手段に報知させる報知部とを有する。
【００１５】
本発明の第２の形態によると、データ取得制御方法であって、コンテンツデータの取得状況を検出する検出段階と、コンテンツデータの取得中に、報知手段を省エネモードに制御するとともに、制御段階による取得状況の検出結果を取得中に、報知手段に報知させる報知段階とを備える。
【００１６】
本発明の第３の形態によると、プログラムであって、コンピュータを、コンテンツデータの取得状況を検出する検出部、コンテンツデータの取得中に、報知手段を省エネモードに制御するとともに、検出部による取得状況の検出結果を取得中に、報知手段に報知させる報知部として機能させる。
【００１７】
なお、上記の発明の概要は、本発明の必要な特徴の全てを列挙したものではない。また、これらの特徴群のサブコンビネーションもまた、発明となり得る。
【発明の効果】
【００１８】
以上の説明から明らかなように、この発明によっては、利便性を損なわずに消費電力を低減して表示を行うことができる。
【図面の簡単な説明】
【００１９】
【図１】一実施形態に係るスマートフォン１の外観の一例を示す図である。
【図２】携帯端末１のブロック構成の一例を示す図である。
【図３】第１の実施形態の制御動作を説明するフローチャートである。
【図４】（ａ）、（ｂ）、（ｃ）は、携帯端末１の表示例をそれぞれ説明する図である。
【図５】第２の実施形態の制御動作を説明するフローチャートである。
【図６】第３の実施形態の制御動作を説明するフローチャートである。
【図７】第４の実施形態の制御動作を説明するフローチャートである。
【図８】第５の実施形態の制御動作を説明するフローチャートである。
【発明を実施するための形態】
【００２０】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００２１】
図１は、一実施形態に係るスマートフォン１の外観の一例を示す。スマートフォン１は、個人用の携帯コンピュータの機能を併せ持った携帯電話である。なお、スマートフォン１は、この発明における「データ取得制御装置」の一例であってよい。スマートフォン１は、キーを有さない。
【００２２】
スマートフォン１は、薄型箱形状の筐体２を有している。筐体２の表面には、透過型のタッチパネル３が設けられているとともに、このタッチパネル３の背面に液晶ディスプレイや有機ＥＬ（Ｅｌｅｃｔｒｏ−Ｌｕｍｉｎｅｓｃｅｎｃｅ）パネル等の二次元表示デバイス４が設けられている。また、タッチパネル３の上端辺側の筐体２の表面には、この発明における「報知手段」の一例であって音声発生器としてのスピーカ５が設けられている。タッチパネル３の下端辺側の筐体２の表面には、送話器としてのマイク６及びユーザによって任意に操作される物理キー７が設けられている。さらに、筐体２の上側面には、電源スイッチ８が設けられていると共に、筐体２の下側面には、バッテリー充電や外部接続のためのコネクタ９が設けられている。そしてさらに、筐体２の表面には、この発明における「報知手段」の一例であるインジケータ１０が設けられている。インジケータ１０は、着信報知用等のＬＥＤである。
【００２３】
図２は、スマートフォン１のブロック構成の一例を示す。図２に示すように、スマートフォン１は、操作部１１、この発明における「制御手段」の一例であるＣＰＵ１２、通信部１３、記憶部１４、計時部１５、本発明における「報知手段」の一例であるバックライト１７を有する表示部１６、この発明における「報知手段」の一例であるバイブレータ１８を備える。なお、スマートフォン１は、バッテリー等を含む不図示の電源部をさらに備える。また、スマートフォン１は、不図示の他のハードウェア部を備える。他のハードウェア部としては、例えば、カメラ部やＧＰＳ（Ｇｌｏｂａｌ  Ｐｏｓｉｔｉｏｎｉｎｇ  Ｓｙｓｔｅｍ：全地球測位システム）部等である。
【００２４】
操作部１１は、ユーザＰ（スマートフォン１の操作者）に対する入力インターフェースを提供する手段である。操作部１１は、図１に示したタッチパネル３、物理キー７及び電源スイッチ８で構成される。操作部１１は、ユーザＰの操作に応答して所要の操作信号を発生し、その操作信号をＣＰＵ１２に出力する。
【００２５】
通信部１３は、電話やデータ通信のための無線通信手段である。通信部１３の通信規格には、一般的に携帯電話の第１世代（１Ｇ）〜第４世代規格（４Ｇ）またはその次世代規格が用いられるが、これらに限定されない。通信部１３は、電話やデータ通信を行うことができるものであればよく、例えば、近距離無線通信規格を用いてもよい。通信部１３は、無線のみならず有線による通信手段を含むものであってもよい。通信部１３は、ＣＰＵ１２の制御に従い、アンテナ１９を介して、最寄りの基地局２０との間で無線によるデジタルデータの送受信を行う。また、通信部１３は、図１に示したコネクタ９と自宅等のルータとの間をケーブルで接続して有線によるデジタルデータの送受信を行う。
【００２６】
基地局２０は、インターネット等のネットワーク２１に接続されており、このネットワーク２１には、クライアントからの要求に対して何らかのサービスを提供するサーバ２２が接続されている。
【００２７】
スマートフォン１は、電話の機能だけでなくクライアントとしての機能、つまり、ネットワーク端末の機能も有しており、サーバ２２に対して所要のサービスを要求することができる。サービスには、様々なものがあるが、典型的なものとしては、ホームページ等のコンテンツデータの閲覧サービスや画像ファイル等のデータのダウンロードサービスを挙げることができる。
【００２８】
記憶部１４は、書き換え可能、且つ、不揮発性の記憶手段であり、例えば、磁気ディスクやフラッシュメモリ等の記憶デバイスで構成することができる。
【００２９】
計時部１５は、計時を行うための手段である。計時部１５は、ＣＰＵ１２からの指令に応答して計時を開始するとともに、ＣＰＵ１２によって適宜に設定される時間が経過すると、その旨をＣＰＵ１２に通知する。
【００３０】
表示部１６は、ユーザＰに対する出力インターフェースを提供する手段である。表示部１６は、図１に示した二次元表示デバイス４で構成される。表示部１６は、ＣＰＵ１２から出力される情報を可視化してユーザＰに提供する。
【００３１】
図１に示した二次元表示デバイス４は、透過型の液晶ディスプレイであり、自ら発光しない表示デバイスであるために、バックライト１７を光源としている。バックライト１７の電力消費は、他の電子部品よりも大きい。そのため、バックライト１７の省電力制御は、バッテリーの持続性を良好によくするために欠かせない。
【００３２】
ＣＰＵ１２は、コンピュータまたはマイクロコンピュータであり、読み出し専用半導体メモリ（ＲＯＭ）、高速半導体メモリ（ＲＡＭ）及び不図示の周辺回路を含むプログラム制御方式の制御要素である。ＣＰＵ１２は、読み出し専用半導体メモリにあらかじめ格納されている制御プログラム等の制御データを高速半導体メモリにロードしてコンピュータまたはマイクロコンピュータで実行することにより、コンテンツデータのダウンロード、Ｗｅｂサービスの利用制御をはじめとする、このスマートフォン１の様々な制御動作を統括する。
【００３３】
ＣＰＵ１２は、検出部２３、報知部２４を備える。検出部２３は、ＣＰＵ１２によるコンテンツデータの取得状況を検出する。報知部２４は、ＣＰＵ１２によるコンテンツデータの取得中に省エネモードに制御するとともに、検出部２３によるコンテンツデータの取得状況の検出結果を取得中に報知部２４に報知する。そして、報知部２４は、コンテンツデータの取得開始時にバックライト１７を減灯させた後に、コンテンツデータの取得状況に応じてバックライト１７を点灯させる。
【００３４】
バイブレータ１８は、この発明における「報知手段」の一例であって着信報知用等の振動器である。
【００３５】
図３は、第１の実施形態の制御動作を説明するフローチャートを示す。図４（ａ）、（ｂ）、（ｃ）は、スマートフォン１の表示例をそれぞれ示す。図３に示すように、スマートフォン１において検出部２３は、まず、コンテンツデータの取得中か否かを判定する（ステップＳ１１）。図４（ａ）に示すように、スマートフォン１は、ユーザＰのタッチパネル３への操作により、操作部１１からＣＰＵ１２へ操作信号が送られ、通信部１３を通じて基地局２０を通じて外部データへアクセスする。
【００３６】
検出部２３は、ステップＳ１１の判定結果がＮＯの場合、このステップＳ１１を繰り返し行う。検出部２３は、ステップＳ１１の判定結果がＹＥＳになった場合、コンテンツデータのダウンロードが完了したか否かを判定する（ステップＳ１２）。報知部２４は、ステップＳ１２の判定結果がＮＯの場合、表示部１６に有するバックライト１７を減灯させる（ステップＳ１３）。図４（ｂ）に示すように、スマートフォン１は、基地局２０からコンテンツデータをダウンロードしている間は、バックライト１７を減灯させる。報知部２４は、ステップＳ１２の判定結果がＹＥＳになった場合、バックライト１７を点灯させる（ステップＳ１４）。図４（ｃ）に示すように、スマートフォン１は、コンテンツデータのダウンロードを完了したら、バックライト１７を点灯させる。
【００３７】
このように、検出部２３は、コンテンツデータの取得状況を検出し、報知部２４は、コンテンツデータの取得中は、バックライト１７を減灯させることにより、省エネモードに制御する。そして、報知部２４は、コンテンツデータの取得の完了に同期して、バックライト１７を通常モードとして点灯させる。ここで、報知部２４は、コンテンツデータのダウンロードが完了する前に、コンテンツデータの少なくとも一部の完了が近づくに従って、バックライト１７を徐々に明るく制御することもできる。
【００３８】
以上説明したように、スマートフォン１によれば、検出部２３は、コンテンツデータの取得状況を検出し、報知部２４は、コンテンツデータの取得状況の検出結果を取得中に報知することにより、利便性を損なわずに消費電力を低減して表示を行うことができる。
【００３９】
また、スマートフォン１によれば、検出部２３は、コンテンツデータの取得状況を検出し、コンテンツデータの取得中は、バックライト１７を減灯させて省エネモードに制御することにより、利便性を損なわずに消費電力を低減して表示を行うことができる。
【００４０】
そして、データ取得制御方法によれば、検出部２３は、コンテンツデータの取得状況を検出し、報知部２４は、コンテンツデータの取得状況の検出結果を取得中に報知することにより、利便性を損なわずに消費電力を低減して表示を行うことができる。
【００４１】
さらに、プログラムによれば、検出部２３は、コンテンツデータの取得状況を検出し、報知部２４は、コンテンツデータの取得状況の検出結果を取得中に報知することにより、利便性を損なわずに消費電力を低減して表示を行うことができる。
【００４２】
次に、第２の実施形態について図５を参照しながら説明する。図５は、第２の実施形態の制御動作を説明するフローチャートである。
【００４３】
図５に示すように、スマートフォン１において、図２に示したＣＰＵ１２は、音声を含むコンテンツデータをダウンロードする。図２に示した検出部２３は、まず、音声を含むコンテンツデータの取得中か否かを判定する（ステップＳ２１）。検出部２３は、ステップＳ２１の判定結果がＮＯの場合、このステップＳ２１を繰り返し行う。検出部２３は、ステップＳ２１の判定結果がＹＥＳになった場合、音声を含むコンテンツデータのダウンロードが完了したか否かを判定する（ステップＳ２２）。報知部２４は、ステップＳ２２の判定結果がＮＯの場合、表示部１６に有するバックライト１７を減灯させる（ステップＳ２３）。次に、報知部２４は、コンテンツデータに含まれている音声の再生を行わない（ステップＳ２４）。報知部２４は、ステップＳ２２の判定結果がＹＥＳになった場合、バックライト１７を点灯させる（ステップＳ２５）。そして、報知部２４は、コンテンツデータに含まれている音声の再生を図１に示したスピーカ５から行う（ステップＳ２６）。
【００４４】
このように、検出部２３は、音声を含むコンテンツデータの取得状況を検出し、報知部２４は、コンテンツデータの取得中は、バックライト１７を減灯させるとともに、音声の再生を行わないで省エネモードに制御する。そして、報知部２４は、コンテンツデータの取得の完了に同期して、バックライト１７を通常モードとして点灯させるとともに、音声の再生を行う。報知部２４は、バックライト１７をオフからオンに切換える前に、音声の再生を先に開始することもできる。また、報知部２４は、音声を含むコンテンツデータのダウンロードが完了する前に、コンテンツデータの少なくとも一部の完了が近づくに従って、バックライト１７を徐々に明るく制御することもできる。
【００４５】
スマートフォン１によれば、検出部２３は、音声を含むコンテンツデータの取得状況を検出し、報知部２４は、コンテンツデータの取得中は、バックライト１７を減灯させるとともに、音声の再生を行わないで省エネモードに制御する。そして、報知部２４は、コンテンツデータの取得の完了に同期して、バックライト１７を通常モードとして点灯させるとともに、音声の再生を行う。従って、スマートフォン１によれば、報知部２４は、利便性を損なわずに消費電力を低減して表示を行うことができる。
【００４６】
次に、第３の実施形態について図６を参照しながら説明する。図６は、第３の実施形態の制御動作を説明するフローチャートである。
【００４７】
図６に示すように、スマートフォン１において、図１に示した報知部２４は、コンテンツデータの取得状況の検出結果をコンテンツデータの取得中に図１に示したスピーカ５から音声で報知する。そして、報知部２４は、コンテンツデータの取得開始時に、図１に示した表示部１６に有するバックライト１７を減灯させた後に、コンテンツデータの取得状況に応じてバックライト１７を点灯させる。
【００４８】
スマートフォン１において、検出部２３は、制御プログラムを開始すると、まず、コンテンツデータの取得中か否かを判定する（ステップＳ３１）。検出部２３は、ステップＳ３１の判定結果がＮＯの場合、このステップＳ３１を繰り返し行う。検出部２３は、ステップＳ３１の判定結果がＹＥＳになった場合、コンテンツデータのダウンロードが完了したか否かを判定する（ステップＳ３２）。報知部２４は、ステップＳ３２の判定結果がＮＯの場合、図１に示した表示部１６に有するバックライト１７を減灯させる（ステップＳ３３）。次に、報知部２４は、スピーカ５を通じてコンテンツデータのダウンロード中であることを報知する（ステップＳ３４）。スピーカ５による報知とは、具体的には、一部のダウンロードの完了に同期して、「ただいまダウンロード中です。」等の音声を繰り返すことである。報知部２４は、ステップＳ３２の判定結果がＹＥＳになった場合、バックライト１７を点灯させる（ステップＳ３５）。そして、報知部２４は、スピーカ５による音声の報知を停止する（ステップＳ３６）
【００４９】
このように、検出部２３は、コンテンツデータの取得状況を検出し、報知部２４は、コンテンツデータの取得中は、バックライト１７を減灯させることにより省エネモードに制御するとともに、スピーカ５により音声で報知を行う。そして、報知部２４は、コンテンツデータの取得の完了に同期して、バックライト１７を通常モードとして点灯させる。なお、スピーカ５の消費電力は、バックライト１７の消費電力に比べて小さいため、バッテリーの電力消費に大きな影響を与えることはない。
【００５０】
スマートフォン１によれば、検出部２３は、コンテンツデータの取得状況を検出し、報知部２４は、コンテンツデータの取得状況の検出結果をコンテンツデータの取得中にバックライト１７の減灯及びスピーカ５の音声で報知することにより、利便性を損なわずに消費電力を低減して表示を行うことができる。
【００５１】
次に、第４の実施形態について図７を参照しながら説明する。図７は、第４の実施形態の制御動作を説明するフローチャートである。
【００５２】
図７に示すように、スマートフォン１において、図１に示した報知部２４は、コンテンツデータの取得状況の検出結果をコンテンツデータの取得中に図１に示したバイブレータ１８により振動で報知する。そして、報知部２４は、コンテンツデータの取得開始時に図１に示した表示部１６に有するバックライト１７を減灯させた後に、コンテンツデータの取得状況に応じてバックライト１７を点灯させる。
【００５３】
スマートフォン１において、検出部２３は、まず、コンテンツデータの取得中か否かを判定する（ステップＳ４１）。検出部２３は、ステップＳ４１の判定結果がＮＯの場合、このステップＳ４１を繰り返し行う。検出部２３は、ステップＳ４１の判定結果がＹＥＳになった場合、コンテンツデータのダウンロードが完了したか否かを判定する（ステップＳ４２）。報知部２４は、ステップＳ４２の判定結果がＮＯの場合、表示部１６に有するバックライト１７を減灯させる（ステップＳ４３）。次に、報知部２４は、バイブレータ１８をオンしてコンテンツデータのダウンロード中であることを報知する（ステップＳ４４）。このとき、報知部２４は、一部のダウンロードの完了に同期して、バイブレータ１８への供給電流を、コンテンツデータの完了に近づくに従って変更する。具体的には、報知部２４は、ダウンロードの進行状況に合わせて、バイブレータ１８に供給する電圧値を徐々に高くしていくか、これとは逆に、ダウンロードの進行状況に合わせてバイブレータ１８に供給する電圧値を徐々に低くしていくかである。このようにすれば、ユーザＰは、コンテンツデータのダウンロードの進行状況を振動の強弱で感知することができる。報知部２４は、ステップＳ４２の判定結果がＹＥＳになった場合、バックライト１７を点灯させる（ステップＳ４５）。そして、報知部２４は、バイブレータ１８をオフする（ステップＳ４６）。
【００５４】
このように、検出部２３は、コンテンツデータの取得状況を検出し、報知部２４は、コンテンツデータの取得中にバックライト１７を減灯させて省エネモードに制御するとともに、バイブレータ１８をオンして振動で報知を行う。そして、報知部２４は、コンテンツデータの取得の完了に同期して、バックライト１７を通常モードとして点灯させ、バイブレータ１８をオフする。なお、バイブレータ１８の消費電力は、バックライト１７の消費電力に比べて小さいため、バッテリーの電力消費に大きな影響を与えることはない。
【００５５】
スマートフォン１によれば、検出部２３は、コンテンツデータの取得状況を検出し、報知部２４は、コンテンツデータの取得状況の検出結果をコンテンツデータの取得中にバックライト１７の減灯及びバイブレータ１８の振動で報知することにより、利便性を損なわずに消費電力を低減して表示を行うことができる。
【００５６】
次に、第５の実施形態について図８を参照しながら説明する。図８は、第５の実施形態の制御動作を説明するフローチャートである。
【００５７】
図８に示すように、スマートフォン１において、図１に示した報知部２４は、コンテンツデータの取得状況の検出結果をコンテンツデータの取得中に図１に示したインジケータ１０の点滅で報知する。そして、報知部２４は、コンテンツデータの取得開始時に、図１に示した表示部１６に有するバックライト１７を減灯させた後に、コンテンツデータの取得状況に応じてバックライト１７を点灯させる。
【００５８】
スマートフォン１において、検出部２３は、まず、コンテンツデータの取得中か否かを判定する（ステップＳ５１）。検出部２３は、ステップＳ５１の判定結果がＮＯの場合、このステップＳ５１を繰り返し行う。検出部２３は、ステップＳ５１の判定結果がＹＥＳになった場合、コンテンツデータのダウンロードが完了したか否かを判定する（ステップＳ５２）。報知部２４は、ステップＳ５２の判定結果がＮＯの場合、表示部１６に有するバックライト１７を減灯させる（ステップＳ５３）。次に、報知部２４は、インジケータ１０を点滅させて、コンテンツデータのダウンロード中であることを報知する（ステップＳ５４）。ここで、報知部２４は、一部のダウンロードの完了に同期して、インジケータ１０の点滅間隔を、コンテンツデータの完了に近づくにつれて短くする。具体的には、報知部２４は、例えば、ＬＥＤに間欠的に供給する電流の間隔を短くする。このようにすれば、ユーザＰは、コンテンツデータのダウンロードの進行状況をインジケータ１０の点滅間隔の変動で感知することができる。報知部２４は、ステップＳ５２の判定結果がＹＥＳになった場合、バックライト１７を点灯させる（ステップＳ５５）。そして、報知部２４は、インジケータ１０をオフする（ステップＳ５６）。
【００５９】
このように、検出部２３は、コンテンツデータの取得状況を検出し、報知部２４は、コンテンツデータの取得中にバックライト１７を減灯させることにより省エネモードに制御するとともに、インジケータ１０を点滅させて報知を行う。そして、報知部２４は、コンテンツデータの取得の完了に同期して、バックライト１７を通常モードとして点灯させ、インジケータ１０を減灯させる。なお、インジケータ１０の消費電力は、ＬＥＤであるために、バックライト１７の消費電力に比べて特に小さいので、バッテリーの電力消費に大きな影響を与えることはない。
【００６０】
スマートフォン１によれば、検出部２３は、コンテンツデータの取得状況を検出し、報知部２４は、コンテンツデータの取得状況の検出結果をコンテンツデータの取得中にバックライト１７の減灯及びインジケータ１０の点滅で報知することにより、利便性を損なわずに消費電力を低減して表示を行うことができる。
【００６１】
上述したスマートフォン１において、報知部２４は、取得したコンテンツに含まれるデータにおける、一部の画像、一部の音声、一部の色、一部の振動を報知手段に再生させることができる。
【００６２】
なお、データ取得制御装置、データ取得制御方法及びプログラムは、前述した各実施形態に限定するものでなく、適宜な変形や改良等が可能である。
【符号の説明】
【００６３】
１  スマートフォン
２  筐体
３  タッチパネル
４  二次元表示デバイス
５  スピーカ
６  マイク
７  物理キー
８  電源スイッチ
９  コネクタ
１０  インジケータ
１１  操作部
１２  ＣＰＵ
１３  通信部
１４  記憶部
１５  計時部
１６  表示部
１７  バックライト
１８  バイブレータ
１９  アンテナ
２０  基地局
２１  ネットワーク
２２  サーバ
２３  検出部
２４  報知部
Ｐ  ユーザ
【図１】
2014222803.tif 000003
【図２】
2014222803.tif 000004
【図３】
2014222803.tif 000005
【図４】
2014222803.tif 000006
【図５】
2014222803.tif 000007
【図６】
2014222803.tif 000008
【図７】
2014222803.tif 000009
【図８】
2014222803.tif 000010